(57)【要約】【課題】補助配管押え具の固定つめと台枠穴の勘合部からの外気の進入による結露水の発生を防止すること。【解決手段】室気調和機の室内機台枠２背面から延出する補助配管を台枠２に固定するための補助配管押え具１であって、補助配管押え具１は補助配管をはさむように延出して台枠２に係止するためのつめ３を有し、つめ３に台枠穴４との勘合部の隙間を塞ぐシール構造を備え、台枠２裏面からの外気進入を抑制することにより、台枠穴４周囲の結露水の発生を低減することができ、空気調和機内部からの水漏れや水飛びなどの不具合を防ぐことができる。【選択図】図３
2006170557.tif 000002
【特許請求の範囲】
【請求項１】
空気調和機の室内機台枠背面から延出する補助配管を前記台枠に固定するための補助配管押え具であって、前記補助配管押え具は前記補助配管をはさむように延出して台枠に係止するためのつめを有し、前記つめに台枠穴との勘合部の隙間を塞ぐシール構造を備えた室気調和機の補助配管押え具。
【請求項２】
つめ先端部の厚みを増して台枠穴の嵌合部との重なり代を設けるように、前記つめ傾斜部角度を有するシール構造を備えた請求項１に記載の室気調和機の補助配管押え具。
【請求項３】
つめ先端を延長して台枠穴を覆うようにフランジを設けたシール構造を備えた請求項1に記載の室気調和機の補助配管押え具。
【請求項４】
つめの周囲に台枠穴を覆うようにフランジを設けたシール構造を備えた請求項１に記載の室気調和機の補助配管押え具。
【発明の詳細な説明】
【技術分野】
【０００１】
本発明は補助配管を有する室気調和機の補助配管押え具に関するものである。
【背景技術】
【０００２】
従来、この種の室気調和機の補助配管押え具は、補助配管押え具の左右の固定ツメにより、台枠の台枠穴に固定されている。また、補助配管押え具ひっかけ部台枠側に傾斜部を設け、また補助配管押え具つめにも傾斜部を設けたものもある（例えば、特許文献１参照）。
【０００３】
図８は、特許文献１に記載された従来の空気調和機の補助配管押え具の斜視図を示すものである。また、図９は図８の補助配管押え具のつめ３の平面を示すものである。図８、９に示すように、補助配管押え具１は固定つめ３により台枠２の台枠穴４に固定されている。
【特許文献１】特開平１１−１５９７９７号公報
【発明の開示】
【発明が解決しようとする課題】
【０００４】
しかしながら、前記従来の構成では補助配管押え具のつめと台枠穴を固定した際に、つめが台枠穴を覆いきれず、隙間から外気が進入する場合があった。台枠穴の隙間から外気が進入すると、台枠内部には熱交換された冷えた空気が流れているため、台枠表面が冷えており、進入した外気の結露による結露水が発生することがあるという課題を有していた。
【０００５】
本発明は、前記従来の課題を解決するもので、補助配管押え具の固定つめと、台枠穴の勘合部からの外気の進入による結露水の発生を防止する、室気調和機の補助配管押え具を提供することを目的とする。
【課題を解決するための手段】
【０００６】
前記従来の課題を解決するために、本発明の室気調和機の補助配管押え具は、つめに、台枠穴との勘合部の隙間を塞ぐシール構造を設けたものである。
【０００７】
これによって、補助配管押え具と台枠穴を固定した際の、勘合部の隙間を塞ぐことができ、外気の進入を抑え、台枠内部での結露を低減するものである。
【発明の効果】
【０００８】
本発明の空気調和機の補助配管押え具は、台枠内部での結露を低減させ、空気調和機内部からの水漏れや水飛びなどの不具合を防ぐことができる。
【発明を実施するための最良の形態】
【０００９】
第1の発明は補助配管押え具のつめに、台枠穴との勘合部の隙間を塞ぐシール構造を備えたことにより、台枠裏面からの外気進入を抑制し、台枠穴周囲の結露水の発生を低減することができる。
【００１０】
第２の発明は、特に第１の発明のシール構造を、つめ先端部の厚みを増して台枠穴の嵌合部との重なり代を設けるように、補助配管押え具つめの傾斜部の傾斜角を形成することにより、台枠穴を効果的に塞ぐことができ、台枠裏面からの外気進入を抑制し、台枠穴周囲の結露水の発生を低減することができる。
【００１１】
第３の発明は、特に第１の発明のシール構造を、つめ先端を延長して台枠穴を覆うようにフランジを設けたシール構造を備えることにより、台枠穴を効果的に塞いで台枠裏面からの外気進入を抑制し、台枠穴周囲の結露水の発生を低減することができる。
【００１２】
第４の発明は、特に第１の発明のシール構造を、つめの周囲に台枠穴を覆うようにフランジを設けたシール構造を備えることにより、台枠穴を効果的に塞いで台枠裏面からの外気進入を抑制し、台枠穴周囲の結露水の発生を低減することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の台枠と補助配管押え具の展開図を示すものである。
【００１５】
図１において、室気調和機の室内機台枠２背面から延出する補助配管（図示せず）を台枠２に固定するために、補助配管押え具１は補助配管をはさむように延出して台枠に係止するためのつめ３を有している。補助配管押え具１は台枠２背面から取り付けられ、４つのつめで台枠２に固定される。補助配管押え具１のつめの中でも、図中のつめ３は、台枠穴４に勘合し、固定される。
【００１６】
図２は、本発明の第１の実施の形態における補助配管押え具の斜視図を示すものである。また、図３は図２の補助配管押え具のつめ３の平面図を示すものである。
【００１７】
図２及び３において、つめ３先端部の厚みを増して台枠穴４の嵌合部との重なり代を設けるように、つめ３の傾斜部５の角度を変えたものである。
【００１８】
以上のように構成された室気調和機の補助配管押え具について、以下その動作、作用を説明する。
【００１９】
つめ３の傾斜部５の角度を変えたことで、固定した際につめ３上部が台枠穴４に入り込む構造となり、勘合部隙間を塞ぐことができる。これにより、台枠２背面から補助配管押え具１と台枠穴４の勘合部からの外気の進入を抑えることができ、台枠２内部での結露水の発生を低減することができる。
【００２０】
以上のように、本実施の形態においては補助配管押え具のつめの傾斜部の角度を変えることにより、固定した際につめ上部が台枠穴に入り込む構造となり、勘合部隙間を塞ぐことができる。これにより、台枠背面から補助配管押え具と台枠穴の勘合部からの外気の進入を抑えることができ、台枠内部での結露水の発生を低減することができる。
【００２１】
（実施の形態２）
図４は本発明の第２の実施の形態における補助配管押え具の斜視図、図５は図４の補助配管押え具のつめ３の平面図を示すものである。
【００２２】
図４、５において、台枠穴４と勘合するつめ３上部に、つめ３先端を延長して台枠穴４を覆うようにフランジ６を設けたものであり、つめ３と台枠穴４との勘合部の隙間を塞ぐ構造としている。
【００２３】
以上のように構成された室気調和機の補助配管押え具について、以下その動作、作用を
説明する。
【００２４】
つめ３上部にフランジ６を設けることで、固定した際に台枠穴４上部の隙間を、フランジ６が覆い被さる構造となり、より効果的に勘合部隙間を塞ぐことができる。これにより、台枠２背面から補助配管押え具１と台枠穴４の勘合部からの外気の進入を抑えることができ、台枠２内部での結露水の発生をより効果的に低減することができる。
【００２５】
以上のように、本実施の形態においてはつめ上部にフランジを設けることにより、固定した際に台枠穴上部をフランジが覆い被さる構造となり、より効果的に勘合部隙間を塞ぐことができる。これにより、台枠背面から補助配管押え具と台枠穴の勘合部からの外気の進入を抑えることができ、台枠内部での結露水の発生をより効果的に低減することができる。
【００２６】
（実施の形態３）
図６は本発明の第３の実施の形態における補助配管押え具の斜視図、図７は図６の補助配管押え具のつめ３の平面図を示すものである。
【００２７】
図６、７において、台枠穴４と勘合するつめ３周囲に、台枠穴４を覆うようにフランジ７を設けたものであり、つめ３と台枠穴４との勘合部の隙間を塞ぐ構造としている。
【００２８】
以上のように構成された室気調和機の補助配管押え具について、以下その動作、作用を説明する。
【００２９】
つめ３周囲にフランジ７を設けることで、固定した際に台枠穴４の周囲全体を、フランジ７が覆い被さる構造となり、より効果的に勘合部隙間を塞ぐことができる。これにより台枠２背面から補助配管押え具１と台枠穴４の勘合部からの外気の進入を抑えることができ、台枠２内部での結露水の発生をより効果的に低減することができる。
【００３０】
以上のように、本実施の形態においてはつめ周囲にフランジを設けることにより、固定した際に台枠穴の周囲全体を、フランジが覆い被さる構造となり、より効果的に勘合部隙間を塞ぐことができる。これにより台枠背面から補助配管押え具と台枠穴の勘合部からの外気の進入を抑えることができ、台枠内部での結露水の発生をより効果的に低減することができる。
【産業上の利用可能性】
【００３１】
以上のように、本発明にかかる室気調和機の補助配管押え具は、つめ形状を変更するだけで台枠穴の勘合部からの外気の進入を抑えることができ、台枠内部での結露水の発生をより効果的に低減することが可能となるので、空気調和機等の用途にも適用できる。
【図面の簡単な説明】
【００３２】
【図１】本発明における空気調和機の台枠と補助配管押え具の展開図
【図２】本発明の実施の形態１における補助配管押え具の斜視図
【図３】本発明の実施の形態１における補助配管押え具のつめの平面図
【図４】本発明の実施の形態２における補助配管押え具の斜視図
【図５】本発明の実施の形態２における補助配管押え具のつめの平面図
【図６】本発明の実施の形態３における補助配管押え具の斜視図
【図７】本発明の実施の形態３における補助配管押え具のつめの平面図
【図８】従来の空気調和機の補助配管押え具の斜視図
【図９】従来の空気調和機の補助配管押え具のつめの平面図
【符号の説明】
【００３３】
１  補助配管押え具
２  台枠
３  つめ
４  台枠穴
５  傾斜部
６、７  フランジ
【図１】
2006170557.tif 000003
【図２】
2006170557.tif 000004
【図３】
2006170557.tif 000005
【図４】
2006170557.tif 000006
【図５】
2006170557.tif 000007
【図６】
2006170557.tif 000008
【図７】
2006170557.tif 000009
【図８】
2006170557.tif 000010
【図９】
2006170557.tif 000011